(57)【特許請求の範囲】
【請求項１】
それぞれ板状に形成された天面、前面、背面、左側面、右側面および底面を有するケーシングを備え、前記ケーシング内に重量物が収容されたケーシングユニットであって、
前記重量物は、前記底面に固定されており、
前記重量物と前記天面との間に設置された緩衝材と、
前記天面、前記前面、前記背面、前記左側面、および前記右側面のうちの少なくとも２つを間に前記重量物を介さずに橋渡すように前記ケーシングの内側に設けられた補強部材と、
を備えたことを特徴とするケーシングユニット。
【請求項２】
前記左側面および前記右側面のうちの少なくとも一方の一部に、切り欠き部が設けられており、
前記補強部材と前記ケーシングとの固定部の少なくとも１つが、前記切り欠き部よりも上方に設けられていることを特徴とする請求項１に記載のケーシングユニット。
【請求項３】
前記補強部材は、前記背面と、前記左側面もしくは前記右側面と、前記前面とを橋渡すように設けられていることを特徴とする請求項１または２に記載のケーシングユニット。
【請求項４】
前記補強部材は、前記左側面と前記前面と前記右側面とを橋渡すように設けられていることを特徴とする請求項１または２に記載のケーシングユニット。
【請求項５】
前記補強部材は、前記左側面と前記右側面とを、前記左側面および前記右側面以外の前記ケーシングの他の面を介さずに橋渡すように設けられていることを特徴とする請求項１または２に記載のケーシングユニット。
【請求項６】
前記補強部材は、前記左側面と前記天面と前記右側面とを橋渡すように設けられていることを特徴とする請求項１に記載のケーシングユニット。
【請求項７】
前記補強部材は、前記ケーシングに衝撃荷重が作用していない状態において、前記前面、前記背面、前記左側面、および前記右側面のうちの少なくとも１つに対して、前記ケーシングの内側方向もしくは外側方向に張力を与えるように構成されていることを特徴とする請求項１〜６のいずれかに記載のケーシングユニット。
【請求項８】
前記ケーシングユニットは、前記重量物として湯を貯留する貯湯タンクを内蔵する貯湯タンクユニットであることを特徴とする請求項１〜７のいずれかに記載のケーシングユニット。
【発明の詳細な説明】
【技術分野】
【０００１】
この発明は、重量物として湯を貯留する貯湯タンクを内蔵する貯湯タンクユニット等のケーシングユニットに関する。
【背景技術】
【０００２】
貯湯タンクユニットは、湯を貯留する貯湯タンクと、貯湯タンクを覆う略直方体のケーシングとを備えている。より具体的には、貯湯タンクは、上記ケーシング内において、温水の保温のために断熱材によって覆われている。また、貯湯タンクは、当該貯湯タンクの脚部を介して上記ケーシングの底面に固定されている。上記ケーシング自体は、当該ケーシングの脚部によって支持され、所定の据付場所に設置されるようになっている。
【０００３】
上記のように構成された貯湯タンクユニットは、重量物である貯湯タンクが最も重く、輸送時や据付時に衝撃が加わると、貯湯タンクとケーシングとが別々に動こうとする加速度が発生する。一般的に薄板で形成されるケーシングは、その強度が弱いため、貯湯タンクユニットに衝撃が加わった際に変形する可能性がある。
【０００４】
従来、例えば特許文献１には、ケーシングの側面の内側に、貯湯タンクユニットの左右方向に延びる断面コ字状の補強ステーを設けた構成が開示されている。また、例えば特許文献２には、貯湯タンクとケーシングの天面とを締結する腕を備えた構成が開示されている。更に、例えば特許文献３には、貯湯タンクの側面を覆うケーシング（外壁）を三角形状とすることにより補強用のリブを備えた構成が開示されている。
【先行技術文献】
【特許文献】
【０００５】
【特許文献１】実開昭５９−１６１４５２号公報
【特許文献２】特開２００４−１４４４４７号公報
【特許文献３】特開２００６−２２６５９２号公報
【発明の概要】
【発明が解決しようとする課題】
【０００６】
しかしながら、上記特許文献１または３に記載の構成のように、ケーシングを単に補強するという手法では、ケーシングの重量が大きくなり、ケーシングの側面とケーシングの底面とを固定するネジなどの固定具への衝撃が増加する可能性がある。また、上記特許文献２に記載の構成のように、ケーシングと貯湯タンクとの結合を強化する手法では、衝撃が貯湯タンクにおけるケーシングとの固定部に直接加わり、貯湯タンクが破損する可能性が高くなる。その結果、本来、貯湯タンクを保護するためのケーシングの役割からすると、本末転倒となってしまう。
【０００７】
この発明は、上述のような課題を解決するためになされたもので、ケーシングユニットに衝撃荷重が作用した際に、内蔵された重量物の保護とケーシング自体の破損または変形防止の両方を可能とする構造を有するケーシングユニットを得ることを目的とする。
【課題を解決するための手段】
【０００８】
この発明に係るケーシングユニットは、それぞれ板状に形成された天面、前面、背面、左側面、右側面および底面を有するケーシングを備え、ケーシング内に重量物が収容されたケーシングユニットであって、重量物は、底面に固定されており、重量物と天面との間に設置された緩衝材と、記天面、前面、背面、左側面、および右側面のうちの少なくとも２つを間に前記重量物を介さずに橋渡すようにケーシングの内側に設けられた補強部材と、を備えたものである。
【発明の効果】
【０００９】
この発明によれば、ケーシングユニットに衝撃荷重が作用した際に、内蔵された重量物の保護とケーシング自体の破損または変形防止の両方を可能とする構造を有するケーシングユニットを得ることができる。
【図面の簡単な説明】
【００１０】
【図１】本発明の実施の形態１における貯湯タンクユニットを示す斜視図である。
【図２】図１に示す貯湯タンクユニットの構成を模式的に示す正面断面図である。
【図３】図１に示す貯湯タンクユニットの平面図（Ａ）および側面図（Ｂ）である。
【図４】図１に示す貯湯タンクユニットを図３（Ｂ）中のＡ−Ａ線で切断して模式的に示す図である。
【図５】本発明の実施の形態２の貯湯タンクユニットにおける特徴部の構成を模式的に示す図である。
【図６】本発明の実施の形態３の貯湯タンクユニットにおける特徴部の構成を模式的に示す図である。
【図７】本発明の実施の形態４の貯湯タンクユニットにおける特徴部の構成を模式的に示す図である。
【発明を実施するための形態】
【００１１】
実施の形態１．
以下、図１乃至図４を参照して、本発明の実施の形態１について説明する。図１は、本発明の実施の形態１における貯湯タンクユニット１を示す斜視図である。図１に示す貯湯タンクユニット１は、重量物として湯を貯湯する貯湯タンク２を内蔵するケーシングユニットであり、貯湯タンク２を収容するためのケーシング３を備えている。より具体的には、ケーシング３は、それぞれ板状に形成された天面３ａ、前面３ｂ、背面３ｃ、左側面３ｄ、右側面３ｅおよび底面３ｆを有している。
【００１２】
また、図１に示すように、ケーシング３の前面３ｂには、配管接続部４が設けられている。この配管接続部４における配管接続の工事性をよくするために、ケーシング３の各側面３ｄ、３ｅの下部には、切り欠き部５が設けられている。
【００１３】
図２は、図１に示す貯湯タンクユニット１の構成を模式的に示す正面断面図である。図２に示すように、貯湯タンク２は、タンク断熱材２ａによってその外周が覆われている。また、貯湯タンク２は、その脚部２ｂを介してケーシング３の底面３ｆに固定されている。そして、貯湯タンク２とケーシング３の天面３ａとの間には、緩衝材６が設置されている。また、ケーシング３の底面３ｆには、ケーシング３を支持するための脚部７が固定されている。
【００１４】
図２においては、一部のケーシング固定ネジ８のみを図示しているが、ケーシング３の天面３ａと各側面３ｄ、３ｅとは、両者が接合した部位において複数のケーシング固定ネジ８を用いてそれぞれ固定されている。同様に、ケーシング３の各側面３ｄ、３ｅと底面３ｆとについても、複数のケーシング固定ネジ８を用いて固定されている。尚、ここでは図示を省略しているが、ケーシング３の前面３ｂと天面３ａ、前面３ｂと底面３ｆ、背面３ｃと天面３ａ、背面３ｃと底面３ｆ、前面３ｂと各側面３ｄ、３ｅ、および、背面３ｃと各側面３ｄ、３ｅについても、同様に、複数のケーシング固定ネジ８を用いて固定されているものとする。
【００１５】
図３は、図１に示す貯湯タンクユニット１の平面図（Ａ）および側面図（Ｂ）である。図４は、貯湯タンクユニット１を図３（Ｂ）中のＡ−Ａ線で切断して模式的に示す図である。上記のような切り欠き部５を有している場合には、落下により衝撃荷重が貯湯タンクユニット１に作用すると、切り欠き部５に応力が集中し、ケーシング３が変形しやすいという問題がある。そこで、本実施形態では、図３と図４に示すように、ケーシング３の内側に、以下のような特徴を有する補強板（補強部材）９を備えるようにした。
【００１６】
図４に示すように、本実施形態の補強板９は、ケーシング３の背面３ｃと左側面３ｄと前面３ｂとを３つの固定部１０を介して橋渡すようにケーシング３の内側に設けられた板状の第１補強板９ａと、背面３ｃと右側面３ｅと前面３ｂとを３つの固定部１０を用いて橋渡すようにケーシング３の内側に設けられた板状の第２補強板９ｂとを備えている。より具体的には、これらの補強板９ａ、９ｂは、それぞれ略Ｕ字状に湾曲して形成されている。また、第１補強板９ａは、３つの固定部１０を利用して、その一端の近傍部位において背面３ｃと固定され、その中央部位において左側面３ｄと固定され、その他端の近傍部位において前面３ｂと固定されている。同様に、第２補強板９ｂは、３つの固定部１０を利用して、その一端の近傍部位において背面３ｃと固定され、その中央部位において左側面３ｄと固定され、その他端の近傍部位において前面３ｂと固定されている。このような構成によって、補強板９は、ケーシング３に衝撃荷重が作用した際に、撓むことが可能な態様でケーシング３の内側に固定されている。尚、固定部１０による補強板９とケーシング３との固定方法は、特に限定されるものではなく、例えば、ネジ止め、リベット止め、ビス止め、差込みなどの嵌め合せ、溶接などを用いることができる。ただし、貯湯タンクユニット１のメンテナンスのために、ケーシング３の前面３ｂあるいは側面３ｄ、３ｅが容易に取り外せるように構成されていることが望ましい。
【００１７】
また、図３（Ｂ）に示すように、補強板９（第１補強板９ａおよび第２補強板９ｂの双方）は、ケーシング３の背面３ｃ側から前面３ｂ側に向かうに従ってケーシング３の高さ方向においてより高い位置にくるように設置されている。このような構成によって、補強板９と前面３ｂとの固定部１０、および補強板９と側面（左側面３ｄまたは右側面３ｅ）との固定部１０が、切り欠き部５よりも上方に設けられている。
【００１８】
以上のように構成された貯湯タンクユニット１が前かがみ状態で鉛直下方向に落下した場合、貯湯タンク２およびケーシング３には、下方へと加速度が加わる。その後、脚部７が接地すると、ケーシング３の底面３ｆ、脚部２ｂおよび貯湯タンク２は、互いに強固に結合されているため静止するが、ケーシング３の天面３ａおよび側部の四面（前面３ｂ、背面３ｃ、左側面３ｄおよび右側面３ｅ）は下方へ落下しようとする。ここで、上記のように貯湯タンクユニット１が前かがみ状態で鉛直下方向に落下した際にケーシング３の天面３ａおよび側部の四面に加わった力は、ケーシング３の上下方向のベクトルと、ケーシング３の前後方向のベクトルとに分離できる。
【００１９】
上記補強板９を備えていない場合には、ケーシング固定ネジ８とネジ穴（図示省略）との接触部分に応力が加わり、特に切り欠き部５の周辺のネジ穴近傍に応力が集中してしまう。これに対し、本実施形態の構成によれば、ケーシング３の上下方向への応力は、緩衝材６が圧縮変形することで緩和される。一方、ケーシング３の前後方向への応力は、ケーシング３の側部の四面および天面３ａと補強板９とが撓むことで緩和される。つまり、補強板９は、ケーシング３に作用する応力を分散させ、応力が一部のネジ穴近傍に集中するのを防止する効果がある。その結果、切り欠き部５のあるケーシング３の側面３ｄ、３ｅの下部に応力が集中して座屈変形が生ずる可能性を低減することができる。また、ケーシング３に加わった衝撃が貯湯タンク２に伝達して破損するのを防止することができる。
【００２０】
以上のように、本実施形態の構成によれば、貯湯タンクユニット１に対して落下による衝撃荷重が作用した際に、内蔵された貯湯タンク２の保護とケーシング３自体の破損または座屈変形の防止の両方を可能とする構造を得ることができる。その結果、外観不良によるケーシング３の取替えや貯湯タンク２の不具合による取替えに伴う無駄な資源使用を抑制することができる。また、一般に耐衝撃性を向上させるためには、ケーシング３を厚い材料で形成したり、あるいは、輸送用梱包材を多量に用いる必要があるが、これらを避けることができて、資源消費や輸送コストを低減することができる。
【００２１】
また、上記のように構成された補強板９を設けることによって、貯湯タンクユニット１を寝かせて輸送する際に、ケーシング３の変形を抑制する効果も得られる。更に、本実施形態では、補強板９と前面３ｂとの固定部１０、および補強板９と側面（左側面３ｄまたは右側面３ｅ）との固定部１０が、切り欠き部５よりも上方に設けられている。これにより、貯湯タンクユニット１が前かがみ状態で鉛直下方向に落下した際に、ケーシング３の切り欠き部５の略上方からの応力を効果的に緩和させることができる。
【００２２】
ところで、上述した実施の形態１においては、板状の補強板９を補強部材として備えている。しかしながら、本発明における補強部材は、板状のものに限定されず、例えば、棒状のものであってもよい。
【００２３】
また、上述した実施の形態１においては、補強板９は、ケーシング３の背面３ｃ側から前面３ｂ側に向かうに従ってケーシング３の高さ方向においてより高い位置にくるように設置されている。しかしながら、本発明における補強部材は、このような構成に代え、ケーシングの背面から前面までの間で水平を保つように設置されたものであってもよく、あるいは、ケーシングの背面側から前面側に向かうに従ってケーシングの高さ方向においてより低い位置にくるように設置されたものであってもよい。
【００２４】
また、上述した実施の形態１においては、貯湯タンクユニット１が前かがみ状態で鉛直下方向に落下する場合を想定した対策として、ケーシング３の背面３ｃと左側面３ｄと前面３ｂとを橋渡すように設けられた第１補強板９ａと、背面３ｃと右側面３ｅと前面３ｂとを橋渡すように設けられた第２補強板９ｂとを備える補強板９を備えるようにしている。このような構成によれば、上述したように、ケーシング３の前後方向への応力を、ケーシング３の側部の四面および天面３ａと補強板９とが撓むことで緩和することができるので、貯湯タンクユニット１が後かがみ状態で鉛直下方向に落下する場合を想定した対策としても有効である。しかしながら、本発明は上記の構成に限定されるものではなく、貯湯タンクユニットが左右いずれかへの横かがみ状態で鉛直下方向に落下する場合を想定した対策として、例えば、ケーシング３の左側面３ｄと背面３ｃと右側面３ｅとを橋渡すように設けられた第１補強部材と、左側面３ｄと前面３ｂと右側面３ｅとを橋渡すように設けられた第２補強部材とを備える補強部材を備えるものであってもよい。
【００２５】
実施の形態２．
次に、図５を参照して、本発明の実施の形態２について説明する。図５は、本発明の実施の形態２の貯湯タンクユニット１１における特徴部の構成を模式的に示す図である。尚、貯湯タンクユニット１１において、図４の構成に対する図５の構成の相違点以外については、図１〜４に示す貯湯タンクユニット１と同様に構成されているものとする。
【００２６】
図５に示すように、本実施形態の補強板１２は、略Ｕ字状に湾曲して形成され、左側面３ｄと前面３ｂと右側面３ｅとを３つの固定部１３を利用して橋渡すようにケーシング３の内側に設けられている。より具体的には、補強板１２の両端は、左側面３ｄもしくは右側面３ｅと背面３ｃとを固定するケーシング固定ネジ８を用いてそれぞれ固定されている。そのうえで、補強板１２は、３つの固定部１３を利用して、左側面３ｄの中央付近の部位において左側面３ｄと固定され、略Ｕ字状の頂点において前面３ｂと固定され、右側面３ｅの中央付近の部位において右側面３ｅと固定されている。このような構成によって、補強板１２は、ケーシング３に衝撃荷重が作用した際に、撓むことが可能な態様でケーシング３の内側に固定されている。尚、固定部１３による補強板１２とケーシング３との固定方法は、固定部１０について上述したものと同様の方法を用いることができる。
【００２７】
以上説明した実施の形態２の構成によっても、貯湯タンクユニット１１が前かがみ状態で鉛直下方向に落下した際に、ケーシング３の上下方向への応力を、緩衝材６が圧縮変形することで緩和することができるとともに、ケーシング３の前後方向への応力を、ケーシング３の側部の四面および天面３ａと補強板１２とが撓むことで緩和することが可能となる。
【００２８】
また、本実施形態の構成によれば、補強板１２が撓むことによって、側面３ｄ、３ｅと前面３ｂとを押し広げる方向に応力が発生する。このため、ケーシング３が内側に屈曲して、ケーシング３内部の貯湯タンク２やその他の部品を圧迫して破損させる可能性を低減することができる。更に、本実施形態の構成によれば、補強板１２を１枚の板（補強板が棒状に形成されている場合には１本の棒）で形成することができるので、上述した実施の形態１の補強板９と比べ、部品点数を減らすこともできる。
【００２９】
ところで、上述した実施の形態２においては、貯湯タンクユニット１１が前かがみ状態で鉛直下方向に落下する場合を想定した対策として、左側面３ｄと前面３ｂと右側面３ｅとを橋渡すように設けられた補強板１２を備えるようにしている。しかしながら、本発明は上記の構成に限定されるものではなく、以下のようなものであってもよい。すなわち、例えば、貯湯タンクユニットが後かがみ状態で鉛直下方向に落下する場合を想定した対策としては、ケーシング３の左側面３ｄと背面３ｃと右側面３ｅとを橋渡すように設けられた補強部材を備えることが好適である。また、例えば、貯湯タンクユニットが左横かがみ状態で鉛直下方向に落下する場合を想定した対策としては、ケーシング３の背面３ｃと左側面３ｄと前面３ｂとを橋渡すように設けられた補強部材を備えることが好適である。また、例えば、貯湯タンクユニットが右横かがみ状態で鉛直下方向に落下する場合を想定した対策としては、ケーシング３の背面３ｃと右側面３ｅと前面３ｂとを橋渡すように設けられた補強部材を備えることが好適である。
【００３０】
実施の形態３．
次に、図６を参照して、本発明の実施の形態３について説明する。図６は、本発明の実施の形態３の貯湯タンクユニット２１における特徴部の構成を模式的に示す図である。尚、貯湯タンクユニット２１において、図４の構成に対する図６の構成の相違点以外については、図１〜４に示す貯湯タンクユニット１と同様に構成されているものとする。
【００３１】
図６に示すように、本実施形態の補強板２２は、略Ｕ字状に湾曲して形成され、左側面３ｄと右側面３ｅとを、２つの固定部２３を利用して、これらの側面３ｄ、３ｅ以外のケーシング３の他の面を介さずに橋渡すようにケーシング３の内側に設けられている。より具体的には、補強板２２は、貯湯タンク２とケーシング３の前面３ｂとの間の空間を通って左側面３ｄと右側面３ｅとを橋渡すように設置されている。また、補強板２２は、その両端の近傍部位において、固定部２３を用いて左側面３ｄおよび右側面３ｅにそれぞれ固定されている。このような構成によって、補強板２２は、ケーシング３に衝撃荷重が作用した際に、撓むことが可能な態様でケーシング３の内側に固定されている。尚、固定部２３による補強板２２とケーシング３との固定方法は、固定部１０について上述したものと同様の方法を用いることができる。
【００３２】
以上説明した実施の形態３の構成によっても、貯湯タンクユニット２１が前かがみ状態で鉛直下方向に落下した際に、ケーシング３の上下方向への応力を、緩衝材６が圧縮変形することで緩和することができるとともに、ケーシング３の前後方向への応力を、ケーシング３の側部の四面および天面３ａと補強板２２とが撓むことで緩和することが可能となる。
【００３３】
より具体的には、本実施形態の構成によれば、ケーシング３の前後方向に加わる衝撃が、ケーシング３の側面３ｄ、３ｅが広がったり狭くなったりする方向に加わるのを緩和することができる。また、上述した実施の形態１、２の構成と比べて、ケーシング３の前後方向の衝撃自体を緩和する能力が少なくなるが、補強板自体の長さが短くて済むので、補強板を付加することによるケーシング３全体の重量増加を抑制することができる。その結果、落下時に貯湯タンクユニット２１に加わる衝撃を少なくすることもできる。
【００３４】
ところで、上述した実施の形態３においては、貯湯タンクユニット２１が前かがみ状態で鉛直下方向に落下する場合を想定した対策として、左側面３ｄと右側面３ｅとをこれらの側面３ｄ、３ｅ以外のケーシング３の他の面を介さずに橋渡すように設けられた補強板２２を備えるようにしている。このような構成によれば、上述したように、ケーシング３の前後方向に加わる衝撃が、ケーシング３の側面３ｄ、３ｅが広がったり狭くなったりする方向に加わるのを緩和することができるので、貯湯タンクユニット２１が後かがみ状態で鉛直下方向に落下する場合を想定した対策としても有効である。尚、上記図６に示す構成では、貯湯タンク２とケーシング３の前面３ｂとの間の空間を通って左側面３ｄと右側面３ｅとを橋渡すようにして補強板２２を設置しているが、このような構成に代え、貯湯タンク２とケーシング３の背面３ｃとの間の空間を通って左側面３ｄと右側面３ｅとを橋渡すようにして補強板２２を設置してもよい。
【００３５】
また、本発明は上記の構成に限定されるものではなく、貯湯タンクユニットが左右いずれかへの横かがみ状態で鉛直下方向に落下する場合を想定した対策として、例えば、前面３ｂと背面３ｃとをこれらの前面３ｂおよび背面３ｃ以外のケーシング３の他の面を介さずに橋渡すように設けられた補強板（補強部材）を備えるようにしてもよい。尚、この場合には、上記補強板（補強部材）は、貯湯タンク２とケーシング３の左側面３ｄとの間の空間を通って前面３ｂと背面３ｃとを橋渡すようにして設置されたものであってもよく、貯湯タンク２とケーシング３の右側面３ｅとの間の空間を通って前面３ｂと背面３ｃとを橋渡すようにして設置されたものであってもよい。
【００３６】
実施の形態４．
次に、図７を参照して、本発明の実施の形態４について説明する。図７は、本発明の実施の形態４の貯湯タンクユニット３１における特徴部の構成を模式的に示す図である。尚、貯湯タンクユニット３１において、図４の構成に対する図７の構成の相違点以外については、図１〜４に示す貯湯タンクユニット１と同様に構成されているものとする。
【００３７】
図７に示すように、本実施形態の補強板３２は、略Ｕ字状に湾曲して形成され、左側面３ｄと天面３ａと右側面３ｅとを３つの固定部３３を利用して橋渡すようにケーシング３の内側に設けられている。より具体的には、補強板３２は、その両端の近傍部位において固定部３３を用いて左側面３ｄおよび右側面３ｅにそれぞれ固定され、かつ、略Ｕ字状の頂点において天面３ａと固定されている。このような構成によって、補強板３２は、ケーシング３に衝撃荷重が作用した際に、撓むことが可能な態様でケーシング３の内側に固定されている。尚、固定部３３による補強板３２とケーシング３との固定方法は、固定部１０について上述したものと同様の方法を用いることができる。尚、ここでは、図７の断面図のみを示しているが、補強板３２は、貯湯タンク２を覆うタンク断熱材２ａと干渉しないように、ケーシング３の前面３ｂと貯湯タンク２との間に存在する空間に設置されている。
【００３８】
以上説明した実施の形態４の構成によれば、落下により貯湯タンクユニット３１に衝撃荷重が作用した際に、緩衝材６が圧縮変形することによってケーシング３の上下方向における衝撃を緩和させることができる。また、補強板３２が撓むことによって、ケーシング３の上下方向に加わる衝撃が、ケーシング３の側面３ｄ、３ｅが広がったり狭くなったりする方向に加わるのを緩和することができる。このような本実施形態の構成によっても、貯湯タンクユニット３１に内蔵された貯湯タンク２の保護とケーシング３自体の破損または座屈変形の防止の両方を可能とする構造を得ることができる。
【００３９】
ところで、上述した実施の形態４においては、落下により貯湯タンクユニット３１に衝撃荷重が作用した際の対策として、左側面３ｄと天面３ａと右側面３ｅとを橋渡すように設けられた補強板３２を備えるようにしている。しかしながら、このような際の対策として有する本発明の構成は、上記のものに限定されるものではなく、例えば、ケーシング３の前面３ｂと天面３ａと背面３ｃとを橋渡すように設けられた補強板（補強部材）を備えたものであってもよい。
【００４０】
ここまでの実施の形態１〜４の説明では、貯湯タンクユニット１等に落下衝撃や輸送振動が加わった際に、補強板９等が撓むことによってケーシング３に作用する衝撃が緩和することについて述べた。更に、本発明における補強部材は、ケーシングに衝撃荷重が作用していない状態（通常の無負荷の状態）において、ケーシングの前面、背面、左側面、および右側面のうちの少なくとも１つに対して、ケーシングの内側方向もしくは外側方向に張力を与えるように構成されていてもよい。実施の形態１の構成を例に挙げて具体的に説明すると、上記補強板９が、ケーシング３の側面３ｄ、３ｅを外側に押し広げる張力、あるいは、内側に引っ張る張力を与えるように、補強板９の初期形状と、補強板９のケーシング３内側への設置時の嵌め込み状態を調整してもよい。このような張力を加えることによって、箱状のケーシング３の耐衝撃性を向上させることができる。
【００４１】
また、以上説明した実施の形態１〜４では、貯湯タンク２を内蔵する貯湯タンクユニット１、１１、２１、３１を対象とした説明を行った。しかしながら、本発明の対象となるケーシングユニットは、貯湯タンクユニットに限定されるものではなく、例えば、大型の空調装置のように、重量物である本体と略箱状のケーシングとの組み合わせからなる製品に対しても、本発明を同様に適用することが可能である。これによって、外観上の不具合による取替えや、梱包過剰などの無駄な資源使用を抑制することができる。
【符号の説明】
【００４２】
１、１１、２１、３１  貯湯タンクユニット
２  貯湯タンク
２ａ  タンク断熱材
２ｂ  貯湯タンクの脚部
３  ケーシング
３ａ  ケーシングの天面
３ｂ  ケーシングの前面
３ｃ  ケーシングの背面
３ｄ  ケーシングの左側面
３ｅ  ケーシングの右側面
３ｆ  ケーシングの底面
４  配管接続部
５  ケーシングの切り欠き部
６  緩衝材
７  ケーシングの脚部
８  ケーシング固定ネジ
９、１２、２２、３２  補強板
９ａ  第１補強板
９ｂ  第２補強板
１０、１３、２３、３３  固定部
【図１】
0005152270.tif 000002
【図２】
0005152270.tif 000003
【図３】
0005152270.tif 000004
【図４】
0005152270.tif 000005
【図５】
0005152270.tif 000006
【図６】
0005152270.tif 000007
【図７】
0005152270.tif 000008